(57)【要約】      （修正有）【課題】ハンドルの回転数を目視でより正確に確認することが可能なバルブ装置を提供する。【解決手段】バルブ装置は、ケース内に弁体が配置された本体と、ハンドル軸１２ａ周りに回転可能となるよう本体に対して取り付けられ且つ弁体の開度を変更可能に構成されたハンドル１２と、ハンドル軸１２ａと偏心して位置する回転軸１６ａ周りに回転可能に構成された回転板１６と、ハンドル軸１２ａ周りに設定された円周Ｃ１上を移動するようにハンドル１２に取り付けられた駆動磁石２０と、回転軸１６ａ周りに設定された円周Ｃ２上において周方向に略等間隔で並ぶように回転板１６に取り付けられた複数の従動磁石２２とを備える。ハンドル軸１２ａが円周Ｃ２の外側に位置し且つ回転軸１６ａが円周Ｃ１の外側に位置するように、円周Ｃ１，Ｃ２は２点で交差している。【選択図】図３
0003213808.tif 000002
【実用新案登録請求の範囲】
【請求項１】
ケース内に弁体が配置された本体と、
第１の回転軸周りに回転可能となるよう前記本体に対して取り付けられ且つ前記弁体の開度を変更可能に構成されたハンドルと、
前記第１の回転軸と偏心して位置する第２の回転軸周りに回転可能に構成された回転体と、
前記第１の回転軸周りに設定された第１の円周上を移動するように前記ハンドルに取り付けられた駆動磁石と、
前記第２の回転軸周りに設定された第２の円周上において周方向に略等間隔で並ぶように前記回転体に取り付けられた複数の従動磁石とを備え、
前記第１の回転軸が前記第２の円周の外側に位置し且つ前記第２の回転軸が前記第１の円周の外側に位置するように、前記第１及び第２の円周とは２点で交差している、バルブ装置。
【請求項２】
前記複数の従動磁石との間で磁力が作用することにより前記回転体の回転を制動するように構成された制動磁石をさらに備える、請求項１に記載のバルブ装置。
【請求項３】
前記駆動磁石を前記回転体に向けて付勢するように構成された付勢部材をさらに備える、請求項１又は２に記載のバルブ装置。
【請求項４】
前記ハンドルと前記回転体との間に位置する固定体をさらに備え、
前記回転体の表面には、０から順に１ずつ繰り上がる数字が、前記第２の円周上で且つ前記複数の従動磁石の間に一つずつ表示されており、
前記固定体には、前記第２の円周上に位置し且つ前記数字のうちの一つが視認可能となるように貫通された表示窓が設けられている、請求項１〜３のいずれか一項に記載のバルブ装置。
【請求項５】
前記固定体の表面には、前記ハンドルの回転角に対応した１未満の少なくとも一つの数字が表示されている、請求項４に記載のバルブ装置。
【考案の詳細な説明】
【技術分野】
【０００１】
本開示は、バルブ装置に関する。
【背景技術】
【０００２】
従来より、作業者がバルブハンドルを手動で回転させることにより弁体の開閉が行われるタイプのバルブ装置が知られている。このようなバルブ装置においては、通常、弁体が金属製のケース内に配置されている。そのため、弁体の正確な開度を目視により確認することができない。従って、弁体が全閉位置に到達したにもかかわらず、さらに弁体を締め付けてしまうことにより、全閉状態を失することがありうる。また、このような弁体の過度な締め付けは、弁体にダメージが生じうる。
【０００３】
そこで、特許文献１は、弁体が正確に全閉位置にあることを目視で確認することが可能なバルブ装置を開示している。当該バルブ装置は、ケース内に弁体が配置された本体と、弁体の回転軸に接続されたウォームホイールと、ウォームホイールと歯合するウォームギアと、ウォームギアの軸に接続されたハンドルと、ウォームギアの側面に取り付けられた第１の磁石と、ケースに設けられた孔内に配置され且つ第１の磁石との間で反発力を生ずるように構成された第２の磁石と、孔内において第２の磁石をケースの内部に向けて付勢するバネ部材とを備える。
【０００４】
当該バルブ装置によれば、弁体が全閉位置にあるときには第１の磁石が第２の磁石に近づくので、第１の磁石の磁力が第２の磁石に作用する。これにより、第２の磁石は、バネ部材の付勢力に抗して孔内をスライドし、ケースの外側に向けて移動する。そのため、ケースから突出した第２の磁石を目視することにより、弁体が全閉位置にあることを作業者が確認できる。一方、弁体が全閉位置以外にあるときには第１の磁石が第２の磁石から遠ざかっているので、第１の磁石の磁力が第２の磁石に作用し難い。これにより、第２の磁石は、バネ部材の付勢力によりケースの内側に向けて付勢される。そのため、作業者は第２の磁石を目視できなくなる。
【先行技術文献】
【特許文献】
【０００５】
【特許文献１】特開２００３−１８５０５５号公報
【考案の概要】
【考案が解決しようとする課題】
【０００６】
このように、特許文献１に開示されたバルブ装置によれば、弁体が特定の一つの位置（例えば全閉位置など）にあることが目視により確認可能である。しかしながら、特許文献１に開示されたバルブ装置では、弁体の任意の開度を目視で確認することができない。そのため、弁体の開度を調節する際には、いったん弁体を全閉位置に位置させ、再び弁体を開放することで、弁体の開度を記録する手法が採られていた。特に、製造現場ではハンドルが何回転しているかによって弁体の開度を把握することが多く、ハンドルの回転数を記録する手法が採られていた。このような作業は手間及び時間を要するので、ハンドルの回転数を目視でより正確に確認したいという要望があった。
【０００７】
そこで、本開示は、ハンドルの回転数を目視でより正確に確認することが可能なバルブ装置を説明する。
【課題を解決するための手段】
【０００８】
［１］本開示の一つの観点に係るバルブ装置は、ケース内に弁体が配置された本体と、第１の回転軸周りに回転可能となるよう本体に対して取り付けられ且つ弁体の開度を変更可能に構成されたハンドルと、第１の回転軸と偏心して位置する第２の回転軸周りに回転可能に構成された回転体と、第１の回転軸周りに設定された第１の円周上を移動するようにハンドルに取り付けられた駆動磁石と、第２の回転軸周りに設定された第２の円周上において周方向に略等間隔で並ぶように回転体に取り付けられた複数の従動磁石とを備える。第１の回転軸が第２の円周の外側に位置し且つ第２の回転軸が第１の円周の外側に位置するように、第１及び第２の円周とは２点で交差している。
【０００９】
本開示の一つの観点に係るバルブ装置では、作業者によるハンドルの回転に伴い、駆動磁石が回転体に近づいていくと、駆動磁石と、複数の従動磁石のうち一つの従動磁石とが十分に近接して、これらの磁石の間に引力が生ずる。ハンドルと共に駆動磁石がさらに回転すると、当該引力により従動磁石が駆動磁石に連動して、駆動磁石の回転方向とは逆方向に回転する。ハンドルと共に駆動磁石がさらに回転して回転体から離れていくと、回転体は回転せずに静止する。その後、ハンドルと共に駆動磁石が略一周回転して回転体に近づくと、駆動磁石が、複数の従動磁石のうち他の従動磁石と十分に近接する。そのため、当該他の従動磁石が駆動磁石に連動するので、回転体が再び回転する。このように、ハンドルが一回転するごとに、回転体が断続的に回転する。従って、回転体の断続的な回転を目視により把握することで、ハンドルの回転数を目視でより正確に確認することが可能となる。
【００１０】
［２］上記第２項に記載のバルブ装置は、複数の従動磁石との間で磁力が作用することにより回転体の回転を制動するように構成された制動磁石をさらに備えてもよい。この場合、ハンドルと共に駆動磁石がさらに回転して回転体から離れていく際に、慣性による回転体の回転が制動磁石によって抑制される。そのため、ハンドルの回転数を目視でさらに正確に確認することが可能となる。
【００１１】
［３］上記第１項又は第２項に記載のバルブ装置は、駆動磁石を回転体に向けて付勢するように構成された付勢部材をさらに備えてもよい。ところで、ハンドルの回転に伴いハンドルが本体に対して進退するので、ハンドルと回転体との離間距離が変化しうる。このような場合でも、第３項に記載のバルブ装置によれば、付勢部材が駆動磁石を付勢しているので、駆動磁石と回転体との離間距離が略一定に保持される。そのため、ハンドルと回転体との離間距離が変化しても、駆動磁石と従動磁石との間に作用する引力が略一定となるので、駆動磁石に対する従動磁石の追従性が高まる。従って、ハンドルの回転数を目視でいっそう正確に確認することが可能となる。
【００１２】
［４］上記第１項〜第３項のいずれか一項に記載のバルブ装置は、ハンドルと回転体との間に位置する固定体をさらに備え、回転体の表面には、０から順に１ずつ繰り上がる数字が、第２の円周上で且つ複数の従動磁石の間に一つずつ表示されており、固定体には、第２の円周上に位置し且つ数字のうちの一つが視認可能となるように貫通された表示窓が設けられていてもよい。この場合、表示窓を通じて数字を目視することで、現在のハンドルの回転数を一見して把握することが可能となる。
【００１３】
［５］上記第４項に記載のバルブ装置において、固定体の表面には、ハンドルの回転角に対応した１未満の少なくとも一つの数字が表示されていてもよい。この場合、ハンドルの一回転ごとの回転数を回転体によって把握することが可能であることに加えて、ハンドルの一回転未満の回転数も、固定体の表面に表示された数字によって把握することが可能となる。
【考案の効果】
【００１４】
本開示に係るバルブ装置によれば、ハンドルの回転数を目視でより正確に確認することが可能となる。
【図面の簡単な説明】
【００１５】
【図１】図１は、バルブ装置の一つの例を示す斜視図である。
【図２】図２は、図１のＩＩ−ＩＩ線断面図である。
【図３】図３は、図１のバルブ装置のうちバルブ及び回転板を主として示す正面図である。
【図４】図４は、バルブ装置の使用方法を説明するための図である。
【図５】図５は、バルブ装置の使用方法を説明するための図である。
【図６】図６は、バルブ装置の使用方法を説明するための図である。
【考案を実施するための形態】
【００１６】
以下に説明される本開示に係る実施形態は本考案を説明するための例示であるので、本考案は以下の内容に限定されるべきではない。以下の説明において、同一要素又は同一機能を有する要素には同一符号を用いることとし、重複する説明は省略する。
【００１７】
［バルブ装置の構成］
まず、図１〜図３を参照して、バルブ装置１の構成について説明する。バルブ装置１は、本体１０と、ハンドル１２と、固定板１４（固定体）と、回転板１６（回転体）と、付勢部材１８と、駆動磁石２０と、複数の従動磁石２２と、制動磁石２４とを備える。
【００１８】
本体１０は、図１及び図２に示されるように、例えば玉形弁であり、ケース１０ａ内に弁体１０ｂ（図２参照）が配置されて構成されている。弁体１０ｂがケース１０ａ内において全閉位置と全開位置との間で移動することで、本体１０を流通する流体の流量が調整される。
【００１９】
ハンドル１２は、ハンドル軸１２ａ（第１の回転軸）を介して、弁体１０ｂに直接又は間接的に接続されている。そのため、ハンドル１２は、ハンドル軸１２ａ周りに回転可能に構成されている。作業者により反時計回り方向の回転力がハンドル１２に付与されると、弁体１０ｂの開度が大きくなる。一方、作業者により反時計回り方向の回転力がハンドル１２に付与されると、弁体１０ｂの開度が小さくなる。
【００２０】
図１及び図３に示されるように、ハンドル１２には、ハンドル１２の回転位置を示す標識Ａｒが取り付けられている。本実施形態では、標識Ａｒは矢印形状を呈している。
【００２１】
固定板１４は、図１及び図３に示されるように、矩形状を呈する板状体である。固定板１４は、図１及び図２に示されるように、本体１０とハンドル１２との間に位置している。固定板１４の下部は、図１に示されるように、本体１０に対して固定されている。固定板１４の上端縁近傍には、図１及び図３に示されるように、固定板１４の厚さ方向に貫通する表示窓１４ａが設けられている。表示窓１４ａは、円形状を呈している。
【００２２】
固定板１４の表面には、符号Ｍ１〜Ｍ４が設けられている。符号Ｍ１〜Ｍ４は、正面から見て、ハンドル１２の外形に沿って並んでいる。換言すれば、符号Ｍ１〜Ｍ４は、ハンドル軸１２ａ周りに設定された円周上に位置している。符号Ｍ１〜Ｍ４は、当該円周上において略等間隔で並んでいる。正面から見て、符号Ｍ１はハンドル１２の上方に位置しており、符号Ｍ２はハンドル１２の左方に位置しており、符号Ｍ３はハンドル１２の下方に位置しており、符号Ｍ４はハンドル１２の右方に位置している。
【００２３】
本実施形態において、符号Ｍ１〜Ｍ４はそれぞれ、１未満の数字である「０」、「１／４」、「１／２」及び「３／４」を示している。符号Ｍ１〜Ｍ４によって示される数字は、ハンドル１２の回転角に対応している。具体的には、符号Ｍ１が示す「０」はハンドル１２の回転角が０°であることを意味し、符号Ｍ２が示す「１／４」はハンドル１２の回転角が９０°であることを意味し、符号Ｍ３が示す「１／２」はハンドル１２の回転角が１８０°であることを意味し、符号Ｍ４が示す「３／４」はハンドル１２の回転角が２７０°であることを意味する。
【００２４】
回転板１６は、円形状を呈する板状体である。回転板１６は、回転軸１６ａ（第２の回転軸）を介して、固定板１４の上部に対して回転可能に取り付けられている。そのため、回転軸１６ａは、ハンドル軸１２ａに対して偏心して位置している。回転板１６は、固定板１４に関して、ハンドル１２とは反対側に位置している。すなわち、固定板１４は、ハンドル１２と回転板１６との間に位置している。
【００２５】
回転板１６の表面には、図１及び図３に示されるように、符号Ｎ１〜Ｎ６が設けられている。符号Ｎ１〜Ｎ６は、回転板１６の外周縁に沿って並んでいる。換言すれば、符号Ｎ１〜Ｎ６は、回転軸１６ａ周りに設定された円周Ｃ２（第２の円周）上に位置している。符号Ｎ１〜Ｎ６は、円周Ｃ２上において略等間隔で並んでいる。なお、回転板１６が固定板１４に取り付けられた状態において、表示窓１４ａも円周Ｃ２上に位置している。
【００２６】
図３に示されるように、円周Ｃ２は、円周Ｃ１と２点で交差している。正面から見て、円周Ｃ２は、円周Ｃ１の中心（ハンドル軸１２ａ）の外側に位置している。一方、円周Ｃ１は、円周Ｃ２の中心（回転軸１６ａ）の外側に位置している。すなわち、ハンドル軸１２ａと回転軸１６ａとの離間距離ｄは、円周Ｃ１の半径ｒ１及び円周Ｃ２の半径ｒ２のうち小さいものよりも大きく、且つ、半径ｒ１，ｒ２の和よりも小さい。換言すれば、パラメータｒ１，ｒ２，ｄは、式１を満たしている。
ｍｉｎ｛ｒ１，ｒ２｝＜ｄ＜（ｒ１＋ｒ２）    ・・・（１）
【００２７】
符号Ｎ１〜Ｎ６は、０から順に１ずつ繰り上がる数字であってもよい。本実施形態において、符号Ｎ１〜Ｎ６はそれぞれ、数字の「０」〜「５」を示している。符号Ｎ１〜Ｎ６によって示される数字は、ハンドル１２の回転数に対応している。符号Ｎ１〜Ｎ６は、固定板１４の表示窓１４ａを通じて視認可能である。より詳しくは、符号Ｎ１〜Ｎ６のうちいずれか一つが表示窓１４ａに対応する位置にあるとき、当該一の符号は表示窓１４ａを通じてハンドル１２側から視認可能であるが、残余の符号は固定板１４の存在によりハンドル１２側から視認することができない。
【００２８】
付勢部材１８は、図１及び図２に示されるように、ハンドル１２と固定板１４との間において延びている。付勢部材１８は、図２に示されるように、シリンジ１８ａと、シリンジ１８ａ内においてスライド可能なピストン１８ｂと、シリンジ１８ａ及びピストン１８ｂの間に配置された圧縮コイルばね１８ｃとを含む。
【００２９】
シリンジ１８ａの基端部は、ハンドル１２に取り付けられている。ピストン１８ｂの先端部には、駆動磁石２０が取り付けられている。圧縮コイルばね１８ｃは、ピストン１８ｂを固定板１４に向けて付勢している。すなわち、駆動磁石２０は、付勢部材１８によって固定板１４側及び回転板１６側に向けて付勢されている。
【００３０】
駆動磁石２０は、円柱形状を呈している。駆動磁石２０は、永久磁石（例えばネオジム磁石）で構成されていてもよい。駆動磁石２０は、その先端部（固定板１４に向かう側の端部）がＳ極を呈するように、ピストン１８ｂに取り付けられていてもよい。駆動磁石２０は、付勢部材１８を介して間接的にハンドル１２に取り付けられている。そのため、駆動磁石２０は、図３に示されるように、ハンドル１２の回転に伴い、ハンドル１２の中心線である円周Ｃ１（第１の円周）上を移動可能である。
【００３１】
図１〜図３に示されるように、複数の従動磁石２２はいずれも、円板状を呈している。複数の従動磁石２２は、駆動磁石２０と同様に、永久磁石（例えばネオジム磁石）で構成されていてもよい。複数の従動磁石２２は、回転板１６に取り付けられている。本実施形態では、６つの従動磁石２２Ａ〜２２Ｆが回転板１６に取り付けられている。従動磁石２２Ａ〜２２Ｆは、ハンドル１２及び固定板１４に向かう側の端面がＮ極を呈するように、回転板１６に取り付けられていてもよい。
【００３２】
従動磁石２２Ａ〜２２Ｆは、回転板１６において円周Ｃ２上に位置している。従動磁石２２Ａ〜２２Ｆは、円周Ｃ２上において、符号Ｎ１〜Ｎ６の間に一つずつ位置するように、略等間隔で並んでいる。具体的には、図１及び図３に示されるように、従動磁石２２Ａは符号Ｎ４，Ｎ５の間に位置しており、従動磁石２２Ｂは符号Ｎ５，Ｎ６の間に位置しており、従動磁石２２Ｃは符号Ｎ６，Ｎ１の間に位置しており、従動磁石２２Ｄは符号Ｎ１，Ｎ２の間に位置しており、従動磁石２２Ｅは符号Ｎ２，Ｎ３の間に位置しており、従動磁石２２Ｆは符号Ｎ３，Ｎ４の間に位置している。
【００３３】
制動磁石２４は、円板状を呈している。制動磁石２４は、駆動磁石２０及び従動磁石２２と同様に、永久磁石（例えばネオジム磁石）で構成されていてもよい。制動磁石２４は、図１〜図３に示されるように、固定板１４に取り付けられている。制動磁石２４は、正面から見て円周Ｃ２の近傍に位置している。制動磁石２４は、回転板１６に向かう側の端面がＳ極を呈するように、固定板１４に取り付けられていてもよい。
【００３４】
［バルブ装置の動作］
続いて、図３〜図６を参照して、バルブ装置１の動作について説明する。以下では、一例として、弁体１０ｂが全閉位置にある状態から作業者がハンドル１２を反時計回りの方向に回転させる場合について説明するが、作業者がハンドル１２を時計回りの方向に回転させる場合も同様である。
【００３５】
まず、図３を参照して、弁体１０ｂが全閉位置にある状態を説明する。このとき、表示窓１４ａから符号Ｎ１の「０」が視認可能であり、標識Ａｒは上方（符号Ｍ１の「０」）を指している。正面から見て駆動磁石２０と従動磁石２２Ｆとが重なり合っており、両者の間には引力が生じている。従動磁石２２Ｂは制動磁石２４の側方に位置しており、両者の間には引力が生じている。
【００３６】
続いて、作業者がハンドル１２を反時計回りの方向に回して、徐々に弁体１０ｂの開度を大きくしていくと、駆動磁石２０が従動磁石２２Ｆから離間する。このとき、駆動磁石２０及び従動磁石２２Ｆの間には引力が生じているものの、従動磁石２２Ｂ及び制動磁石２４の間にも引力が生じているので、後者の引力により回転板１６の静止状態が保たれる。換言すれば、表示窓１４ａから符号Ｍ１の「０」が表示された状態が保たれる。従って、制動磁石２４は、回転板１６の回転を制動する機能を有する。
【００３７】
続いて、作業者がハンドル１２をさらに反時計回りの方向に回すと、図４（ａ）に示されるように、正面から見て駆動磁石２０が従動磁石２２Ａと重なり合う。このとき、駆動磁石２０と従動磁石２２Ａとの間に引力が生ずる。
【００３８】
続いて、作業者がハンドル１２をさらに反時計回りの方向に回すと、円周Ｃ１の上端部の軌道と円周Ｃ２の下端部の軌道とが近接しているので、図４（ｂ）に示されるように、従動磁石２２Ｂ及び制動磁石２４の間の引力に抗して、駆動磁石２０が従動磁石２２Ａを引き寄せたまま回転する。これにより、回転板１６が時計回りの方向に回転する。
【００３９】
続いて、作業者がハンドル１２をさらに反時計回りの方向に回すと、図５（ａ）に示されるように、ハンドル１２が１回転して、標識Ａｒが再び上方（符号Ｍ１の「０」）を指す位置まで到達する。これに伴い、符号Ｎ２が表示窓１４ａに到達し、表示窓１４ａから符号Ｎ２の「１」が視認可能となる。このとき、従動磁石２２Ｃが制動磁石２４の側方に位置し、両者の間に引力が生ずる。
【００４０】
続いて、作業者がハンドル１２をさらに反時計回りの方向に回すと、図５（ｂ）に示されるように、駆動磁石２０が従動磁石２２Ａから離間する。このとき、駆動磁石２０及び従動磁石２２Ａの間には引力が生じているものの、従動磁石２２Ｃ及び制動磁石２４の間にも引力が生じているので、後者の引力により回転板１６の静止状態が保たれる。換言すれば、表示窓１４ａから符号Ｎ２の「１」が表示された状態が保たれる。
【００４１】
作業者がハンドル１２をさらに反時計回りの方向に回す場合には、図６に示されるように、駆動磁石２０が従動磁石２２Ｂを引き寄せたまま回転し、表示窓１４ａからは符号Ｎ３の「２」が表示される。作業者がハンドル１２をさらに反時計回りの方向に回す場合にも、バルブ装置１は同様に動作する。このように、ハンドル１２が反時計回りの方向に回転されていくと、ハンドル１２と固定板１４との離間距離が大きくなる。この場合でも、ハンドル１２に設けられた付勢部材１８が駆動磁石２０を固定板１４に向けて付勢しているので、駆動磁石２０が固定板１４に当接した状態が保たれている。
【００４２】
［作用］
以上のような本実施形態では、作業者によるハンドル１２の回転に伴い、駆動磁石２０が回転板１６に近づいていくと、駆動磁石２０と、複数の従動磁石２２のうち一つの従動磁石２２とが十分に近接して、これらの磁石の間に引力が生ずる。ハンドル１２と共に駆動磁石２０がさらに回転すると、当該引力により従動磁石２２が駆動磁石２０に連動して、駆動磁石２０の回転方向とは逆方向に回転する。ハンドル１２と共に駆動磁石２０がさらに回転して回転板１６から離れていくと、回転板１６は回転せずに静止する。その後、ハンドル１２と共に駆動磁石２０が略一周回転して回転板１６に近づくと、駆動磁石２０が、複数の従動磁石２２のうち他の従動磁石２２と十分に近接する。そのため、当該他の従動磁石２２が駆動磁石２０に連動するので、回転板１６が再び回転する。このように、ハンドル１２が一回転するごとに、回転板１６が断続的に回転する。従って、回転板１６の断続的な回転を目視により把握することで、ハンドル１２の回転数を目視でより正確に確認することが可能となる。
【００４３】
本実施形態では、複数の従動磁石２２と制動磁石２４の間で磁力が作用することにより、制動磁石２４が回転板１６の回転を制動するように機能する。そのため、ハンドル１２と共に駆動磁石２０がさらに回転して回転板１６から離れていく際に、慣性による回転板１６の回転が制動磁石２４によって抑制される。従って、ハンドル１２の回転数を目視でさらに正確に確認することが可能となる。
【００４４】
ところで、ハンドル１２の回転に伴いハンドル１２が本体１０、固定板１４及び回転板１６に対して進退するので、ハンドル１２と回転板１６との離間距離が変化しうる。しかしながら、本実施形態では、付勢部材１８が駆動磁石２０を回転板１６に向けて付勢している。そのため、駆動磁石２０と回転板１６との離間距離が略一定に保持される。従って、ハンドル１２と回転板１６との離間距離が変化した場合でも、駆動磁石２０と従動磁石２２との間に作用する引力が略一定となるので、駆動磁石２０に対する従動磁石２２の追従性が高まる。その結果、ハンドル１２の回転数を目視でいっそう正確に確認することが可能となる。
【００４５】
本実施形態では、回転板１６の表面に符号Ｎ１〜Ｎ６が表示されており、固定板１４に設けられた表示窓１４ａからこれらの符号Ｎ１〜Ｎ６のうちの一つが視認可能とされている。そのため、表示窓１４ａを通じて数字を目視することで、現在のハンドル１２の回転数を一見して把握することが可能となる。
【００４６】
本実施形態では、固定板１４の表面には、ハンドル１２の回転角に対応した１未満の符号Ｍ１〜Ｍ４が表示されている。そのため、ハンドル１２の一回転ごとの回転数を回転板１６（符号Ｎ１〜Ｎ６）によって把握することが可能であることに加えて、ハンドル１２の一回転未満の回転数も符号Ｍ１〜Ｍ４によって把握することが可能となる。
【００４７】
［変形例］
以上、本開示に係る実施形態について詳細に説明したが、本考案の要旨の範囲内で種々の変形を上記の実施形態に加えてもよい。例えば、固定板１４及び回転板１６共に、板状以外の形態であってもよい。
【００４８】
回転板１６は、回転軸１６ａ周りに回転可能に構成されていればよく、固定板１４以外の他の部材（例えば、本体１０等）に取り付けられていてもよい。この場合、バルブ装置１は固定板１４を備えていなくてもよい。
【００４９】
バルブ装置１は、従動磁石２２との間で引力を生じさせることができれば、複数の制動磁石２４を備えていてもよい。制動磁石２４は、従動磁石２２との間で引力を生じさせることができれば、固定板１４以外の他の部材に取り付けられていてもよい。バルブ装置１は、制動磁石２４を備えていなくてもよい。
【００５０】
ハンドル１２と回転板１６との離間距離が変化した場合に駆動磁石２０と従動磁石２２との間に引力を生じさせることができれば、バルブ装置１は付勢部材１８を備えていなくてもよい。
【００５１】
回転板１６に表示される符号は「０」〜「５」以外の数字であってもよい。すなわち、ハンドル１２の回転数（回転可能な回数）に対応する数字が回転板１６に表示されていてもよい。例えば、ハンドル１２が１０回転可能であれば、「０」〜「９」の符号が回転板１６に表示されていてもよい。また、ハンドル１２の回転数を認識することができれば、回転数を示す符号として数字以外の記号が採用されてもよい。
【００５２】
固定板１４に表示される符号は、「０」、「１／４」、「１／２」及び「３／４」以外の数字であってもよい。すなわち、ハンドル１２の回転角θに対応していれば、「θ／３６０」の数字が固定板１４に表示されていてもよい。例えば、６０°ごとに、「０」、「１／６」、「１／３」、「１／２」、「２／３」及び「５／６」が固定板１４に表示されていてもよい。また、ハンドル１２の回転角を認識することができれば、回転角を示す符号として数字以外の記号が採用されもよい。
【００５３】
バルブ装置１は、複数の駆動磁石２０を備えていてもよい。すなわち、複数の駆動磁石２０は、円周Ｃ１上において略等間隔で並ぶように、ハンドル１２に設けられていてもよい。ハンドル１２にＮ個の駆動磁石２０が設けられている場合、回転板１６に表示される符号は、「０」、「１／Ｎ」、「２／Ｎ」、・・・のように、０から順に「１／Ｎ」ずつ繰り上がっていてもよい。この場合、従動磁石２２が、円周Ｃ２上においてこれらの符号の間に一つずつ位置し且つ略等間隔で並ぶように、回転板１６に設けられていてもよい。
【符号の説明】
【００５４】
１…バルブ装置、１０…本体、１０ａ…ケース、１０ｂ…弁体、１２…ハンドル、１２ａ…ハンドル軸（第１の回転軸）、１４…固定板（固定体）、１４ａ…表示窓、１６…回転板（回転体）、１６ａ…回転軸（第２の回転軸）、１８…付勢部材、２０…駆動磁石、２２，２２Ａ〜２２Ｆ…従動磁石、２４…制動磁石、Ｃ１…円周（第１の円周）、Ｃ２…円周（第２の円周）。
【図１】
0003213808.tif 000003
【図２】
0003213808.tif 000004
【図３】
0003213808.tif 000005
【図４】
0003213808.tif 000006
【図５】
0003213808.tif 000007
【図６】
0003213808.tif 000008